(57)【要約】【課題】軽量で、使い勝手のよいバインド線装着工具の提供【解決手段】この発明のバインド線装着工具は、切欠１を設けたバインド線装着歯車Ａのワ−クプレ−ト２を、ワ−クプレ−トブラケットＢの前部に設け、前端下部に開口を備えたワ−クプレ−ト支持孔５に回動可能に冠着支持するするとともに、バインド線装着歯車Ａのワ−クギヤ−３に噛み合い、バインド線装着歯車Ａを回転させる二個のアイドル歯車６，６と二個のアイドル歯車６，６に噛み合い、二個のアイドル歯車６，６を回転させる駆動歯車７を、ワ−クプレ−トブラケットＢの後部に取付けている。【選択図】 図３
2005354848.tif 000002
【特許請求の範囲】
【請求項１】
プレフォ−ムされたバインド線を架空電線に装着させる工具であって、
（イ）バインド線装着歯車（Ａ）は、中心（ｐ）を囲むように半円状の円弧（ａ）を形成し、該円弧（ａ）の両端（ｂ，ｂ）から平行に延長し、終端部において先広がりのテ−パ（ｃ，ｃ）を設けた開口（ｄ）を有する切欠（１）を設けたワ−クプレ−ト（２）の外周面の前端部にワ−クギヤ−（３）を設けている、
（ロ）ワ−クプレ−トブラケット（Ｂ）は、前記ワ−クプレ−ト（２）を回動可能に冠着支持するワ−クプレ−ト支持孔（４）を備え、該ワ−クプレ−ト支持孔（４）は前端下部に開口（５）を備えている、
（ハ）前記ワ−クプレ−トブラケット（Ｂ）のワ−クプレ−ト支持孔（４）に、前記バインド線装着歯車（Ａ）のワ−クプレ−ト（２）を回動可能に冠着している、
（ニ）前記バインド線装着歯車（Ａ）を回転させ、前記切欠（１）の開口（ｄ）を後方水平方向に位置させたとき、前記切欠（１）を挟んで上下に、前記バインド線装着歯車（Ａ）のワ−クギヤ−（３）に噛み合うように、同一仕様の二個のアイドル歯車（６，６）を、前記ワ−クプレ−トブラケット（Ｂ）の後部に回動可能に取り付けている、
（ホ）前記アイドル歯車（６，６）に噛み合うように、駆動歯車（７）を前記ワ−クプレ−トブラケット（Ｂ）の後部に回動可能に取り付けている、
（へ）前記駆動歯車（７）を回転させると、前記アイドル歯車（６，６）が回転し、それに連動して、前記バインド線装着歯車（Ａ）が回転する、
以上のように構成されていることを特徴とするバインド線装着工具
【発明の詳細な説明】
【技術分野】
【０００１】
本発明は、プレフォ−ムされたバインド線を架空電線に装着するバインド線装着工具に関するものである。
【背景技術】
【０００２】
プレフォ−ムされたバインド線を架空配電線に装着する工具としては、例えば、出願人が発明した地上操作型ロボットによる遠隔操作によって、プレフォ−ムされたバインド線を架空配電線に着脱するロボット用のバインド線処理工具が実用化されているが、次のような問題点があった。
【０００３】
（１）作業者の手作業による工具としては、重く、工具がぶれると、架空配電線から離脱し易く、使い勝手がわるい。
（２）高価である。
【特許文献１】特許第２９３９２１４号公報
【発明の開示】
【発明が解決しようとする課題】
【０００４】
この発明は、背景技術で記述した問題点を解消するためになされたもので、軽量で、使い勝手のよいバインド線装着工具の提供を目的とするものである。
【課題を解決するための手段】
【０００５】
この発明のバインド線装着工具は、切欠を設けたバインド線装着歯車のワ−クプレ−トを、ワ−クプレ−トブラケットの前部に設け、先端下部に開口を有するワ−クプレ−ト支持孔に回動可能に冠着支持するとともに、前記バインド線装着歯車のワ−クギヤ−に噛み合い、バインド線装着歯車を回転させる二個のアイドル歯車と該二個のアイドル歯車に噛み合い、該二個のアイドル歯車を回転させる駆動歯車を、前記ワ−クプレ−トブラケットの後部に取付け、簡単な構成に仕上げていることを特徴とするものである。
【発明の効果】
【０００６】
この発明は上述のように構成されているので、次のような効果を奏する。
（１）構造が簡単であるので安価に製作できる。
（２）ワ−クプレ−トブラケットのワ−クプレ−ト支持孔の前端下部に開口を備えているので、切欠部を斜め下に向けた姿勢で、架空配電線と仮置したプフォ−ムバインド線を、切欠部に取り込むことになるため、架空配電線と仮置したプフォ−ムバインド線の切欠部からの離脱を防止でき、作業者は、本願工具の自重を架空電線に負担させた状態で作業ができるため、作業者の腕にかかる負担が軽減され、使い勝手がよい。
【発明を実施するための最良の形態】
【０００７】
軽量で、使い勝手のよいバインド線装着工具の提供という目的を、ワ−クプレ−ト支持孔の前端下部に開口を備えた一枚のワ−クプレ−トブラケットの前部に、バインド線装着歯車のワ−クプレ−ト、後部に、二個のアイドル歯車と駆動歯車を装着することにより実現できた。
【実施例】
【０００８】
本発明の実施の一例を図面を参照しながら説明する。プレフォ−ムされたバインド線１２を架空電線１３に装着させる工具であって、バインド線装着歯車Ａは、図１に示すように、中心ｐを囲むように、半円状の円弧ａを形成し、円弧ａの両端ｂ，ｂから平行に延長し、終端において先広がりのテ−パｃ，ｃを設けた開口ｄを有する切欠１を設けたワ−クプレ−ト２の外周面の前端部にワ−クギヤ−３を設けている。なお、図示は省略したが、切欠１を有する板状のワ−クギヤ−を、ワ−クプレ−ト２の前面に固定させる構成であってもよい。
【０００９】
ワ−クプレ−トブラケットＢは、図２に示すように、ワ−クプレ−ト２を回動可能に冠着支持するワ−クプレ−ト支持孔４を備え、ワ−クプレ−ト支持孔４は前端下部に開口５を備えている。
【００１０】
ワ−クプレ−トブラケットＢのワ−クプレ−ト支持孔４に、図３に示すように、バインド装着歯車Ａのワ−クプレ−ト２（図１（ｂ）において、ワ−クギヤ−３の右側の段差部）を回動可能に冠着している。
【００１１】
バインド線装着歯車Ａを回転させ、切欠１の開口ｄを後方水平方向に位置させたとき、切欠１を挟んで上下に、バインド線装着歯車Ａのワ−クギヤ−３に噛み合うように、同一仕様の二個のアイドル歯車６，６を、図３に示すように、ワ−クプレ−トブラケットＢの後部に回動可能に取り付けている。
【００１２】
アイドル歯車６，６に噛み合うように、駆動歯車７をワ−クプレ−トブラケットＢの後部に、図３に示すように、回動可能に取り付けている。
【００１３】
ワ−クプレ−トブラケットＢの後部裏面側に、図４に示すように、駆動歯車７の回転軸８に第一傘型歯車９を固定し、第一傘型歯車９に噛み合う第二傘型歯車１０を取付ている。第二傘型歯車１０にシャフト１１を固定し、シャフト１１を回転させると、第二傘型歯車１０が回転し、連動して、、第一傘型歯車９が回転し、連動して、駆動歯車（７）が回転し、連動して、アイドル歯車６，６が回転し、さらに連動して、バインド線装着歯車Ａが回転するようになっている。
【００１４】
実施に際しては、図５に示すように、プレフォ−ムバインド線１２を架空配電線１３に仮置きし、架空配電線１３と仮置したプレフォ−ムバインド線１２を、切欠１部に取り込み、シャフト１１を回転させ、バインド線装着歯車Ａをプレフォ−ムバインド線１２の撚り方向に回転させながら、架空配電線１３に沿って移動させて、プレフォ−ムバインド線１２を架空配電線１３に装着させる。
【００１５】
なお、図示は省略したが、切欠１の表面を蒲鉾状の凸状に仕上げており、プレフォ−ムバインド線１２や架空配電線１３の表面の擦り傷の発生を防止できるようにしている。
【産業上の利用可能性】
【００１６】
プレフォ−ムバインド線を、作業者が手動で、架空配電線に装着させるためのバインド線装着工具として利用できる。
【図面の簡単な説明】
【００１７】
【図１】バインド線装着歯車の正面図（ａ），側面図（ｂ）
【図２】ワ−クプレ−トブラケットの正面図
【図３】本発明の一実施例を示す正面図
【図４】図３における背面図
【図５】架空配電線にプレフォ−ムバインド線を仮置きした状態を示す概略図
【符号の説明】
【００１８】
Ａ バインド線装着歯車
１ 切欠
２ ワ−クプレ−ト
３ ワ−クギヤ−
Ｂ ワ−クプレ−トブラケット
４ ワ−クプレ−ト支持孔
５ ワ−クプレ−ト支持孔の前端下部の開口
６ アイドル歯車
７ 駆動歯車
８ 駆動歯車の回転軸
９ 第一傘型歯車
１０ 第二傘型歯車
１１ シャフト
１２ プレフォ−ムバインド線
１３ 架空配電線
ａ 半円状の円弧
ｂ 円弧の両端
ｃ 終端の先広がりのテ−パ
ｄ 開口
ｐ 中心
【図１】
2005354848.tif 000003
【図２】
2005354848.tif 000004
【図３】
2005354848.tif 000005
【図４】
2005354848.tif 000006
【図５】
2005354848.tif 000007